(57)【特許請求の範囲】
【請求項１】
背景画像を記憶する背景画像記憶手段と、
複写時に顕在化する潜像画像として用いるイメージ画像を記憶するイメージ画像記憶手段と、
前記イメージ画像記憶手段に記憶されているイメージ画像の中からユーザ所望のイメージ画像の選択入力を受け付ける画像受付手段と、
前記画像受付手段が受け付けた選択入力に基づいて、前記イメージ画像記憶手段から前記イメージ画像を読み出す画像読出手段と、
前記イメージ画像を一の記録媒体上の予め定められた印刷可能領域内にタイル状に繰り返し配置して地紋画像を生成するか、又は前記イメージ画像を前記一の記録媒体上の前記印刷可能領域全体にわたって少なくとも１つ配置して地紋画像を生成するかの指示入力を受け付ける指示受付手段と、
前記指示受付手段が後者の指示入力を受け付けたとき、前記イメージ画像を前記印刷可能領域の所定方向の幅に合わせたサイズであって当該印刷可能領域に少なくとも１つ配置可能なサイズに前記読み出されたイメージ画像のサイズを変更するサイズ変更手段と、
前記サイズを変更されたイメージ画像を前記背景画像に埋め込んで地紋画像を生成する地紋生成手段と、
を備えた画像処理装置。
【請求項２】
複数の原稿画像を一の記録媒体に集約して印刷するための集約画像を生成する集約手段を更に備え、
前記指示受付手段は、前記イメージ画像を前記印刷可能領域内にタイル状に繰り返し配置して地紋画像を生成するか又は前記印刷可能領域全体にわたって少なくとも１つ配置して地紋画像を生成するかに加え、前記集約された複数の原稿画像それぞれに対して少なくとも１つの前記イメージ画像を配置して地紋画像を生成するかの指示入力を受け付けるものであり、
前記指示受付手段が前記集約された複数の原稿画像それぞれに対して少なくとも１つの前記イメージ画像を配置して地紋画像を生成する選択入力を受け付けたとき、前記サイズ変更手段は前記イメージ画像を前記原稿画像のサイズ全体にわたって少なくとも１つ配置可能なサイズに変更し、前記地紋生成手段は該サイズ変更されたイメージ画像を前記背景画像に埋め込んで地紋画像を生成し、前記集約手段は前記複数の原稿画像それぞれに該生成された地紋画像を合成して前記集約画像を生成することを特徴とする請求項１に記載の画像処理装置。
【請求項３】
前記イメージ画像記憶手段は、前記サイズ変更前のイメージ画像と、前記サイズ変更手段によってサイズ変更のなされた後のイメージ画像を記憶するものであることを特徴とする請求項１又は２に記載の画像処理装置。
【請求項４】
前記地紋生成手段によって生成された地紋画像に対して画像補正を施す指示入力を受け付ける補正指示受付手段と、
前記補正指示受付手段が受け付けた指示入力に応じて、前記地紋画像に対して画像補正を施す地紋画像補正手段と、
を更に備えたことを特徴とする請求項１〜３の何れか一項に記載の画像処理装置。
【請求項５】
コンピュータを、
複写時に顕在化する潜像画像として使用するユーザ所望のイメージ画像の選択入力を受け付ける画像受付手段、
前記画像受付手段が受け付けた選択入力に基づいて、前記イメージ画像が記憶されているイメージ画像記憶手段から前記イメージ画像を読み出す画像読出手段、
前記イメージ画像を一の記録媒体上の予め定められた印刷可能領域内にタイル状に繰り返し配置して地紋画像を生成するか、又は前記イメージ画像を前記一の記録媒体上の前記印刷可能領域全体にわたって少なくとも１つ配置して地紋画像を生成するかの指示入力を受け付ける指示受付手段、
前記指示受付手段が後者の指示入力を受け付けたとき、前記イメージ画像を前記印刷可能領域の所定方向の幅に合わせたサイズであって当該印刷可能領域に少なくとも１つ配置可能なサイズに前記読み出されたイメージ画像のサイズを変更するサイズ変更手段、
前記読み出されたイメージ画像又は前記サイズ変更されたイメージ画像を背景画像に埋め込んで地紋画像を生成する地紋生成手段、
として機能させるためのプログラム。
【発明の詳細な説明】
【技術分野】
【０００１】
本発明は、背景画像に複写時に顕在化する潜像画像を埋め込んだ地紋画像を生成する画像処理装置及びプログラムに関するものである。
【背景技術】
【０００２】
機密書類等の複写を抑止する方法として、コピー機でその機密文書の複写を行うと警告文字が浮かび上がる地紋画像を用いる方法が知られている。このような地紋画像が印刷された機密文書をコピー機で複写すると、複写物に「禁複写」等の警告文字が浮き出て印刷されるため、不正複写に対する心理的な抑止効果があると共に、原本と複写物を区別することが可能となる。
【０００３】
図１７は地紋画像を施した印刷物の一例を示した図であり、図１７（ａ）は原本、図１７（ｂ）は原本の複写物を示している。図１７（ａ）において９１１を潜像画像、９１２を背景画像という。原本における潜像画像及び背景画像は、肉眼による見かけの濃度はほぼ同じになるように印刷される。また図１７（ａ）の図中に示す領域Ｐを拡大した図が図１８である。図１８に示すように、背景画像は大きなドットを比較的疎に配置して構成され、潜像画像は小さなドットを比較的密に配置して構成される。
【０００４】
図１７（ａ）に示す原本をコピー機で複写すると、背景画像を構成するドットはコピー機で解像できる大きさと濃度を持っているために、忠実に印刷される。しかし潜像画像を構成するドットは、コピー機で解像できない大きさであるために印刷されない。従って、複写物には原本に印刷されていた文書と共に背景画像が印刷され、潜像画像は白抜き文字として浮き出て表現されることとなる。これにより不正複写を抑制することができると同時に、原本と複写物との区別をすることができる。
【０００５】
このような地紋画像を用いた機密文書については、以前は偽造防止用紙と呼ばれる予め地紋画像の印刷が施された用紙を用いて作成していた。しかし、偽造防止用紙に予め印刷されている潜像画像しか複写によって浮かび上がらせることができないためにその用紙の用途が限られる点や、偽造防止用紙の値段が汎用の印刷用紙に比べて高い点など、不便な点が多かった。
【０００６】
一方、文書の作成・印刷の段階においてデジタル化が急速に進み、プリンタの性能も飛躍的に向上する中、従来用いていた偽造防止用紙と同様の印刷を汎用のコンピュータとプリンタを用いて行うことが可能となった。これにより、警告文字として任意のテキスト文字を採用したり、好みの背景画像を採用したりすることが可能となるなど、ユーザの自由度を高めることができた。更に、特許文献１には、テキスト文字の他に、潜像画像として会社のロゴマークや特殊なフォントで描かれた文字等の任意のイメージ画像を用いて地紋画像を生成可能とした技術が開示されている。
【特許文献１】特開２００５−１１５８７４号公報
【発明の開示】
【発明が解決しようとする課題】
【０００７】
しかしながら、ユーザ所望のイメージ画像を潜像画像とした地紋画像を文書と共に印刷し、その印刷物（原本）をコピー機で複写してイメージ画像（潜像画像）を浮き出たせた場合、必ずしもユーザの意図した通りにイメージ画像が表現されるとは限らない。例えば、イメージ画像のサイズが小さい場合、複写によってイメージ画像を顕在化させても鮮明に浮き出て表現されない可能性がある。その場合、ユーザは画像作成ソフト等を用いてイメージ画像のサイズ変更を行うか、再度作成しなおす等の作業が必要となり、印刷作業の中断を余儀なくされていた。
【０００８】
本発明は、上記の問題を解決するためになされたもので、任意のイメージ画像を潜像画像として地紋画像を生成する画像処理装置及びプログラムにおいて、イメージ画像のサイズ変更を簡単に行える画像処理装置及びプログラムを提供することを目的とするものである。
【課題を解決するための手段】
【０００９】
本発明における画像処理装置は、背景画像を記憶する背景画像記憶手段と、複写時に顕在化する潜像画像として用いるイメージ画像を記憶するイメージ画像記憶手段と、前記イメージ画像記憶手段に記憶されているイメージ画像の中からユーザ所望のイメージ画像の選択入力を受け付ける画像受付手段と、前記画像受付手段が受け付けた選択入力に基づいて、前記イメージ画像記憶手段から前記イメージ画像を読み出す画像読出手段と、前記イメージ画像を一の記録媒体上の予め定められた印刷可能領域内にタイル状に繰り返し配置して地紋画像を生成するか、又は前記イメージ画像を前記一の記録媒体上の前記印刷可能領域全体にわたって少なくとも１つ配置して地紋画像を生成するかの指示入力を受け付ける指示受付手段と、前記指示受付手段が後者の指示入力を受け付けたとき、前記イメージ画像を前記印刷可能領域の所定方向の幅に合わせたサイズであって当該印刷可能領域に少なくとも１つ配置可能なサイズに前記読み出されたイメージ画像のサイズを変更するサイズ変更手段と、前記サイズを変更されたイメージ画像を前記背景画像に埋め込んで地紋画像を生成する地紋生成手段と、を備えたことを特徴としている。
【００１０】
また、本発明におけるプログラムは、コンピュータを、複写時に顕在化する潜像画像として使用するユーザ所望のイメージ画像の選択入力を受け付ける画像受付手段、前記画像受付手段が受け付けた選択入力に基づいて、前記イメージ画像が記憶されているイメージ画像記憶手段から前記イメージ画像を読み出す画像読出手段、前記イメージ画像を一の記録媒体上の予め定められた印刷可能領域内にタイル状に繰り返し配置して地紋画像を生成するか、又は前記イメージ画像を前記一の記録媒体上の前記印刷可能領域全体にわたって少なくとも１つ配置して地紋画像を生成するかの指示入力を受け付ける指示受付手段、前記指示受付手段が後者の指示入力を受け付けたとき、前記イメージ画像を前記印刷可能領域の所定方向の幅に合わせたサイズであって当該印刷可能領域に少なくとも１つ配置可能なサイズに前記読み出されたイメージ画像のサイズを変更するサイズ変更手段、前記読み出されたイメージ画像又は前記サイズ変更されたイメージ画像を背景画像に埋め込んで地紋画像を生成する地紋生成手段、として機能させることを特徴としている。
【００１２】
潜像画像として会社のロゴマーク等の任意のイメージ画像を用いて地紋画像を生成する場合、イメージ画像の形態やサイズ、更にはその配置方法により、複写によってイメージ画像を顕在化させたときの印象が変わってくる。そこで、イメージ画像を用紙全体にタイル状に繰り返し配置するか、又は用紙の印刷可能領域の幅いっぱいのイメージ画像を少なくとも１つ配置するか等の配置方法をユーザが選択可能とし、ユーザによって後者が選択されたときは用紙の印刷可能領域に合わせてサイズを変更して地紋画像を生成することにより、ユーザは別の画像作成ソフト等を起動させてイメージ画像の作り直しやサイズ変更等の編集を行わなくても、意図した通りの地紋画像の生成を簡単に行うことができる。
【００１３】
また、上記構成において、複数の原稿画像を一の記録媒体に集約して印刷するための集約画像を生成する集約手段を更に備え、前記指示受付手段は、前記イメージ画像を前記印刷可能領域内にタイル状に繰り返し配置して地紋画像を生成するか又は前記印刷可能領域全体にわたって少なくとも１つ配置して地紋画像を生成するかに加え、前記集約された複数の原稿画像それぞれに対して少なくとも１つの前記イメージ画像を配置して地紋画像を生成するかの指示入力を受け付けるものであり、前記指示受付手段が前記集約された複数の原稿画像それぞれに対して少なくとも１つの前記イメージ画像を配置して地紋画像を生成する選択入力を受け付けたとき、前記サイズ変更手段は前記イメージ画像を前記原稿画像のサイズ全体にわたって少なくとも１つ配置可能なサイズに変更し、前記地紋生成手段は該サイズ変更されたイメージ画像を前記背景画像に埋め込んで地紋画像を生成し、前記集約手段は前記複数の原稿画像それぞれに該生成された地紋画像を合成して前記集約画像を生成することが望ましい。
【００１４】
集約印刷が設定されている場合、集約印刷された印刷物を原稿毎に切り離して使用するケースが考えられる。そこで、各原稿画像に対して少なくとも１つのイメージ画像が配置されるよう地紋画像が生成されることにより、集約印刷された印刷物を原稿毎に切り離して使用する場合でも、複写時にイメージ画像を効果的に顕在化させることができる。
【００１５】
また、上記構成において、前記イメージ画像記憶手段は、前記サイズ変更前のイメージ画像と、前記サイズ変更手段によってサイズ変更のなされた後のイメージ画像を記憶するものであることが望ましい。
【００１６】
この構成によれば、イメージ画像記憶手段がサイズ変更後のイメージ画像を記憶することによって、後に地紋画像を生成させるときにサイズ変更後のイメージ画像を即座に用いることができ、地紋画像の生成をスムーズに行うことができる。
【００１７】
また、上記構成において、前記地紋生成手段によって生成された地紋画像に対して画像補正を施す指示入力を受け付ける補正指示受付手段と、前記補正指示受付手段が受け付けた指示入力に応じて、前記地紋画像に対して画像補正を施す地紋画像補正手段と、を更に備えることが望ましい。
【００１８】
この構成によれば、ユーザの意図した通りに潜像画像が形成されなかった場合でも、画像補正を実行させることによって、想像通りの地紋画像の生成を簡単に行わせることができる。更に、意図した通りに潜像画像が形成されるようにするために、ユーザは別途画像作成ソフト等を起動させてイメージ画像を作り直す又は画像補正処理を行うなどの余計な作業を行わなくてすみ、印刷作業をスムーズに行うことができる。
【発明の効果】
【００２２】
請求項１及び５に記載の発明によれば、イメージ画像を用紙全体にタイル状に繰り返し配置するか、又は用紙の印刷可能領域の幅いっぱいのイメージ画像を少なくとも１つ配置するか等の配置方法をユーザが選択可能とし、ユーザによって後者が選択されたときは用紙の印刷可能領域に合わせてサイズを変更して地紋画像を生成することにより、ユーザは別の画像作成ソフト等を起動させてイメージ画像の作り直しやサイズ変更等の編集を行わなくても、意図した通りの地紋画像の生成を簡単に行うことができる。
【００２３】
請求項２に記載の発明によれば、各原稿画像に対して少なくとも１つのイメージ画像が配置されるよう地紋画像が生成されることにより、集約印刷された印刷物を原稿毎に切り離して使用する場合でも、複写時にイメージ画像を効果的に顕在化させることができる。
【００２４】
請求項３に記載の発明によれば、イメージ画像記憶手段がサイズ変更後のイメージ画像を記憶することによって、後日地紋画像を生成させるときにサイズ変更後のイメージ画像を即座に用いることができ、地紋画像の生成をスムーズに行うことができる。
【００２５】
請求項４に記載の発明によれば、ユーザの意図した通りに潜像画像が形成されなかった場合でも、画像補正を実行させることによって、想像通りの地紋画像の生成を簡単に行わせることができる。更に、意図した通りに潜像画像が形成されるようにするために、ユーザは別途画像作成ソフト等を起動させてイメージ画像を作り直す又は画像補正処理を行うなどの余計な作業を行わなくてすみ、印刷作業をスムーズに行うことができる。
【発明を実施するための最良の形態】
【００２７】
以下、本発明の一実施形態に係る画像処理装置及びプログラムについて説明する。図１は画像処理装置１の構成を示すブロック図である。画像処理装置１はコンピュータ（例えば、パーソナルコンピュータ、ホストコンピュータ等）により実現され、制御部１１、入力部（画像受付手段、指示受付手段、補正指示受付手段）１２、表示部１３、ＲＯＭ（Read Only Memory）１４、ＨＤＤ（Hard Disk Drive）１５、ＲＡＭ（Random Access Memory）１６及び通信部１７を備えて構成される。
【００２８】
制御部１１は、ＣＰＵ（Central Processing Unit）やその他周辺装置を備え、入力される指示信号に応じて所定のプログラムに基づいた処理を実行し各機能部への指示やデータ転送を行う等、画像処理装置１全体を制御する。具体的には、制御部１１は、入力部１２から入力される操作信号に応じてＨＤＤ１５に記憶されたプログラムを読み出し、そのプログラムに従って処理を実行する。そして制御部１１は、処理結果を表示するための表示制御信号を表示部１３に対して出力し、処理結果に応じた情報を表示させる。
【００２９】
更に、制御部１１は画像読出部（画像読出手段）１１１、サイズ変更部（サイズ変更手段）１１２、地紋生成部（地紋生成手段）１１３、集約部（集約手段）１１４及び地紋画像補正部（地紋画像補正手段）１１５として機能する。画像読取部１１１は、入力部１２を介してユーザによって指示されたイメージ画像を、後述するＨＤＤ１５のイメージ画像記憶部１５５から読み出してＲＡＭ１６へ格納する。サイズ変更部１１２は、入力部１２を用いたユーザによる指示入力に応じて、ＲＡＭ１６に格納されたイメージ画像のサイズを変更する。
【００３０】
地紋生成部１１３は、ユーザによって選択された背景画像に対してＲＡＭ１６に格納されたイメージ画像を埋め込んで地紋画像を生成する。集約部１１４は、複数の原稿画像が一枚の用紙に集約された集約画像と生成された地紋画像とを重ね合わせて印刷画像を生成する。地紋画像補正部１１５は、入力部１２を用いたユーザによる指示入力に応じて、ＲＡＭ１６に格納されたイメージ画像の画像補正を行う。
【００３１】
入力部１２は、文字／英数字入力キー、カーソルキー及び各種機能キー等を備えたキーボードや、タッチパッドやマウス等のポインティングデバイスを備えて構成されており、キーボードで押下されたキーの操作信号や、ポインティングデバイスの操作信号を制御部１１へ出力する。
【００３２】
表示部１３は、ＣＲＴ（Cathode Ray Tube）やＬＣＤ（Liquid Crystal Display）等の表示画面を備え、制御部１１から出力される表示制御信号に従って文字や画像等の表示を行う。ＲＯＭ１４は、画像処理装置１の基本動作を実現するためのシステムプログラム１４１やデータ等を記憶する。
【００３３】
ＨＤＤ１５は、画像処理装置１の補助記憶装置として用いられる大容量記憶装置であり、画像処理装置１の備える種々の機能を実現するためのプログラムやデータ等を記憶する。本実施の形態では、ＨＤＤ１５は地紋画像生成プログラム１５１、サイズ変更プログラム１５２、配置方法設定プログラム１５３を記憶し、背景画像記憶部（背景画像記憶手段）１５４及びイメージ画像記憶部（イメージ画像記憶手段）１５５として機能する。
【００３４】
地紋画像生成プログラム１５１は、ユーザが選択したイメージ画像を潜像画像として地紋画像を生成するためのプログラムである。サイズ変更プログラム１５２はイメージ画像のサイズを変更するためのプログラムであり、配置方法設定プログラム１５３はイメージ画像の配置方法を設定するためのプログラムである。また、サイズ変更プログラム１５２及び配置方法設定プログラム１５３は地紋画像生成プログラム１５１のサブルーチンプログラムである。
【００３５】
背景画像記憶部１５４は背景画像を記憶する。図２は背景画像記憶部１５４のデータ構成を示す図である。背景画像記憶部１５４は、地紋画像の背景画像として用いられる画像データを記憶し、画像データに関連付けてファイル名、画像の名称を記憶する。尚、背景画像は画像処理装置１の工場出荷時に予め設定されて記憶されてもよいし、ユーザが任意の画像を背景画像記憶部１５４に記憶させるようにしてもよい。
【００３６】
イメージ画像記憶部１５５は潜像画像として使用するイメージ画像を記憶するものであり、具体的にはユーザが画像作成ソフト等を用いて作成したイメージ画像（画像３１）及びサイズ変更のなされたイメージ画像（画像３２）をそれぞれファイル名と対応付けて記憶する。図３はイメージ画像記憶部１５５のデータ構成を示す図である。
【００３７】
ここで、サイズ変更のなされていないイメージ画像を用いた地紋画像を図４に示す。何れも複写後の地紋画像を示す。図４（ａ）に示す画像３１を用いた地紋画像は、ロゴマークのサイズが小さいために白抜きで表されている部分が不鮮明となり、ロゴマークが効果的に表現されていない。この他、図４（ｂ）に示すように、イメージ画像が大きい、又は用紙サイズが小さい等の理由でユーザの作成したイメージ画像が用紙の印刷可能範囲に入りきらず、イメージ画像の一部が欠けてしまう場合も考えられる。
【００３８】
そこで、本実施の形態の画像処理装置１では、複写後に潜像画像が鮮明に且つユーザの意図したように表現されるよう、潜像画像として用いるイメージ画像のサイズの変更を可能とした。具体的には、イメージ画像のサイズの変更を指示するための操作ボタンを表示部１３に表示させ、ユーザによる操作ボタンの操作に応じて、制御部１１はイメージ画像のサイズを所定倍ずつ拡大又は縮小する。図５（ａ）は、図４（ａ）に示す地紋画像に用いられているイメージ画像を拡大し、そのイメージ画像を用いて生成した地紋画像を示した図である。イメージ画像が拡大されたことによって、鮮明に表現されていることが分かる。
【００３９】
更に、図５（ｂ）に示すように、用紙サイズに合わせてイメージ画像のサイズを変更し、用紙上の所定の位置に少なくとも１つ配置して地紋画像を生成することも可能とした。こうすることにより複写時にイメージ画像を鮮明に且つ効果的に顕在化させることができる。ここで、用紙サイズに合わせてイメージ画像のサイズを変更するとは、イメージ画像を用紙の印刷可能範囲の所定方向の幅まで拡大又は縮小する処理を行うことを言う。
【００４０】
また、複数の原稿を１枚の用紙にまとめて印刷する集約印刷を行う場合、上記したイメージ画像のサイズ変更の他に、各原稿画像に合わせてイメージ画像のサイズを変更し、各原稿画像上の所定の位置に少なくとも１つ配置して地紋画像を生成することを可能とした。こうすることにより、集約印刷された印刷物を原稿毎に切り離して使用する場合でも、複写時にイメージ画像を効果的に顕在化させることができる。
【００４１】
尚、図２に示した背景画像をＪＰＧファイル、図３に示したイメージ画像をｂｍｐファイルとして各ファイル名を図示しているが、これ以外にＤＩＢ、ＰＮＧ、ＴＩＦＦ、ＥＭＦ、ＰＤＦ、ＳＶＧ等のグラフィック情報を保持した画像データであればよい。
【００４２】
図１に戻る。ＲＡＭ１６は、制御部１１によってＨＤＤ１５から読み出された各種プログラムやデータを展開すると共に、入力部１２より入力された入力指示、入力データ、各種プログラムの実行により生じる処理結果等のデータを一時的に保持するなど、作業用メモリとして機能する。
【００４３】
通信部１７は、ＬＡＮボード等の通信モジュールから構成され、通信部１７と接続されたネットワーク１０１を介して種々のデータを送受信する。具体的には、制御部１１がＨＤＤ１５に記憶された地紋生成プログラム１５１を読み出して実行し、ユーザが入力部１２を介して各種設定を入力することにより、地紋画像が生成される。制御部１１はその地紋画像と文書作成ソフト（不図示）によって作成された文書データを通信部１７へ出力し、通信部１７はネットワーク１０１を介してプリンタ１０２へ出力する。プリンタ１０２は送信された地紋画像と文書データに基づいて印刷を行う。
【００４４】
図６〜１６は、制御部１１が地紋画像生成プログラム１５１に従って処理を実行したときに表示部１３に表示される画面例と、処理の流れを示すフローチャートである。図６〜１６を用いて本実施の形態における地紋画像生成処理について詳しく説明する。
【００４５】
制御部１１は、図６に示す地紋画像設定画面４００を表示部１３に表示させる。図６において、ラジオボタン４１及び４２は潜像画像としてイメージ画像又はテキスト文字の何れを用いるかを選択するためのボタンであり、ユーザはマウス等を用いて何れかのラジオボタンを選択する。ユーザによってラジオボタン４１が選択され、ファイル名欄４３にイメージ画像が保存されているフォルダ名とイメージ画像のファイル名が直接入力されると、画像読出部１１１は入力されたフォルダからイメージ画像を読み出し、ＲＡＭ１６に格納する。または、ユーザによって参照ボタン４４が選択されると、制御部１１は図７に示すようなファイル参照画面５００を表示させる。このファイル参照画面５００にはイメージ画像記憶部１５５に記憶されているイメージ画像のファイル名がリスト表示される。ファイル参照画面５００上にてユーザによってファイル名が選択され、ＯＫボタン６１が選択されると、画像読出部１１１は選択されたファイル名のイメージ画像をイメージ画像記憶部１５５から読み出し、ＲＡＭ１６に格納する。
【００４６】
図６に戻る。プルダウンリスト４５には背景画像記憶部１５４に記憶されている背景画像の名称が選択可能なように表示される。プルダウンリスト４５からユーザによって背景画像の名称が選択されると、制御部１１は選択された名称の背景画像を背景画像記憶部１５４から読み出してＲＡＭ１６に格納する（図１４のステップＳ１１）。そして地紋生成部１１３がＲＡＭ１６に格納された背景画像とイメージ画像を用いて地紋画像を生成し（ステップＳ１２）、制御部１１は生成した地紋画像をプレビュー画面４７に表示させる（ステップＳ１３）。図８は生成された地紋画像がプレビュー画面４７に表示されたときの地紋画像設定画面４００を示した図である。
【００４７】
ここで、チェックボックス４６は複写後の潜像画像を白抜きとするか否かを選択するためのボタンである。チェックボックス４６がチェック状態の場合、潜像画像の領域にはコピー機で解像できない比較的小さなドットが配置され、背景画像の領域にはコピー機で解像できる比較的大きなドットが配置される。このため、複写によって背景画像のみ印刷され、潜像画像は印刷されず白抜きで表現される。チェックボックス４６が非チェック状態の場合、潜像画像の領域にはコピー機で解像できる比較的大きなドットが配置され、背景画像の領域にはコピー機で解像できない比較的小さなドットが配置される。このため、複写によって背景画像は消失し、潜像画像のみ顕在化して印刷される。
【００４８】
次に、ユーザによってイメージ詳細設定画面ボタン５０が選択された場合（ステップＳ１４；イメージ詳細設定ボタン）、制御部１１は図９に示すイメージ詳細設定画面６００を表示部１３に表示させる（ステップＳ１５）。イメージ詳細設定画面６００では、イメージ画像の拡大又は縮小（以下、まとめて「拡縮」と表記する）、配置方法等をユーザが任意に設定することができる。イメージ詳細設定画面６００において、タグ７１が選択されたときは図９に示すイメージ画像の拡縮を指示するための画面６０１、タグ８１が選択されたときは図１０に示すイメージ画像の配置方法を指示するための画面６０２が表示されるよう、制御部１１によって表示制御がなされる。尚、図示していない印刷設定画面において、複数の原稿を１枚の用紙に印刷する集約印刷が設定されている際にタグ８１が選択されたときは、図１１に示す画面６０３が表示されるよう、制御部１１によって表示制御がなされる。
【００４９】
イメージ詳細設定画面６００においてタグ７１が選択されると（ステップＳ１６；サイズ）、制御部１１はＨＤＤ１５からサイズ変更プログラム１５２を読み出し、プログラムに従ってサイズ変更処理を実行する（ステップＳ１７）。図１５は、サイズ変更処理の流れを示すフローチャートである。まず制御部１１は、ユーザによって何れのボタンが選択されたかを判別する（ステップＳ３１）。拡大ボタン７２が選択された場合（ステップＳ３１；拡大ボタン）、サイズ変更部１１２はイメージ画像を所定の倍率で拡大し、拡大したイメージ画像を用いて地紋画像を仮生成する（ステップＳ３２）。そして制御部１１は仮生成した地紋画像をプレビュー画面７１に表示させ（ステップＳ３４）、ステップＳ３１へ処理を移行する。ここで地紋画像の仮生成とは、イメージ画像のサイズ変化による地紋画像の変化をプレビュー画面７１でユーザが視認可能な程度の簡単な処理で（少ないステップ数で）地紋画像を生成することを言う。
【００５０】
一方、縮小ボタン７３が選択された場合（ステップＳ３１；縮小ボタン）、サイズ変更部１１２はイメージ画像を所定の倍率で縮小し、縮小したイメージ画像を用いて地紋画像を仮生成する（ステップＳ３３）。そして制御部１１は仮生成した地紋画像をプレビュー画面７１に表示させ（ステップＳ３４）、ステップＳ３１へ処理を移行する。また、ＯＫボタン７５が選択された場合（ステップＳ３１；ＯＫボタン）、制御部１１はサイズ変更処理を終了し、地紋画像生成処理のステップＳ１６へ処理を移行する。このような拡大ボタン７２及び縮小ボタン７３の操作によって、ユーザはプレビュー画面７１を見ながらイメージ画像のサイズを自由に変化させることができる。
【００５１】
イメージ詳細設定画面６００においてタグ８１が選択されると（ステップＳ１６；配置方法）、制御部１１はＨＤＤ１５から配置方法設定プログラム１５３を読み出し、プログラムに従って配置方法設定処理を実行する（ステップＳ１８）。図１６は、配置方法設定処理の流れを示すフローチャートである、まず制御部１１は、図１０に示す画面６０２のプルダウンリスト８２に表示される項目の中から、何れの項目が選択されたかを判別する（ステップＳ４１）。画面６０２のプルダウンリスト８２には、図５（ａ）に示すように用紙全体にイメージ画像をタイル状に繰りかえし配置することを示す「全面に並べる」と、図５（ｂ）に示すように用紙上に少なくとも１つのイメージ画像が配置されるように用紙サイズに合わせてイメージ画像のサイズを変更して配置することを示す「用紙に合わせる」の２つの項目が選択可能なように表示される。プルダウンリスト８２において項目「全面に並べる」が選択された場合（ステップＳ４１；全面に並べる）、地紋生成部１１４はイメージ画像をタイル状に繰り返し配置する方法で地紋画像を仮生成し（ステップＳ４２）、プレビュー画面８１に表示させる（ステップＳ４６）。そして制御部１１はステップＳ４１へ処理を移行する。
【００５２】
一方、プルダウンリスト８２において項目「用紙に合わせる」が選択された場合（ステップＳ４１；用紙に合わせる）、サイズ変更部１１２は用紙の印刷可能範囲の所定方向の幅に合わせてイメージ画像を拡縮し、地紋生成部１１３はそのイメージ画像を用いて地紋画像を仮生成する（ステップＳ４３）。その後、制御部１１は仮生成した地紋画像をプレビュー画面８１に表示させる（ステップＳ４６）。そして、制御部１１はステップＳ４１へ処理を移行する。
【００５３】
また、図示していない印刷設定画面において、集約印刷が設定されているときにタグ８１が選択されたときは、図１１に示す画面６０３が表示されるが、画面６０３のプルダウンリスト８５にはプルダウンリスト８２の２つの項目に加えて、図１２（ｃ）に示すように集約された各原稿画像のサイズに合わせてイメージ画像のサイズを変更して配置することを示す「各原稿に合わせる」という項目が選択可能なように表示される。画面６０３のプルダウンリスト８５において項目「全面に並べる」が選択された場合（ステップＳ４１；全面に並べる）、地紋生成部１１３は図１２（ａ）に示すように集約された各原稿画像に関わらず用紙の全面にイメージ画像をタイル状に繰り返し配置する方法で地紋画像を仮生成し（ステップＳ４２）、制御部１１は仮生成した地紋画像をプレビュー画面８４に表示させる（ステップＳ４６）。
【００５４】
また、プルダウンリスト８５において項目「用紙に合わせる」が選択された場合（ステップＳ４１；用紙に合わせる）、サイズ変更部１１２は図１２（ｂ）に示すように集約された各原稿画像に関わらず用紙の印刷可能範囲の所定方向の幅に合わせてイメージ画像を拡縮し、地紋生成部１１３はそのイメージ画像を用いて地紋画像を仮生成する（ステップＳ４３）。そして制御部１１は仮生成した地紋画像をプレビュー画面８４に表示させる（ステップＳ４６）。プルダウンリスト８５において項目「各原稿に合わせる」が選択された場合（ステップＳ４１；各原稿に合わせる）、サイズ変更部１１２は図１２（ｃ）に示すように、集約された各原稿画像のサイズに合わせてイメージ画像を拡縮し、地紋生成部１１３はそのイメージ画像が各原稿画像上の所定位置に配置されるよう地紋画像を仮生成する（ステップＳ４４）。そして制御部１１は仮生成した地紋画像をプレビュー画面８４に表示させる（ステップＳ４６）。
【００５５】
ＯＫボタン８６が選択された場合（ステップＳ４１；ＯＫボタン）、制御部１１は配置方法設定処理を終了し、地紋画像生成処理のステップＳ１６へ処理を移行する。このように、イメージ画像の配置方法にバリエーションを持たせることにより、ユーザは所望の配置方法にて地紋画像の生成を行わせることできる。そして、地紋画像生成処理の後、複数の原稿画像が一枚の用紙に集約された集約画像と生成された地紋画像とを集約部１１４が重ね合わせて印刷画像を生成する。
【００５６】
尚、図１１及び図１２においては、４枚の原稿を１枚に集約する場合を例に図示しているが、この他にＮ枚（Ｎは２以上の整数）の原稿を１枚に集約する場合においても同様の処理を行うことは勿論である。
【００５７】
図８に戻る。地紋画像設定画面４００において、イメージ補正ボタン４９が選択された、つまりプレビュー画面４７に表示された地紋画像に対する画像補正が指示された場合（ステップＳ１４；イメージ補正ボタン）、制御部１１は図１３に示すような補正内容設定画面７００を表示部１３に表示させる。補正内容設定画面７００上では、例えば「塗りつぶし」、「輪郭補正」、「塗りつぶし及び輪郭補正」の画像補正の種類がチェックボックス９１、９２及び９３と共に表示される。ユーザは実行したい画像補正に対応するチェックボックスをマウス等で選択してチェック状態にすることによって、画像補正の種類を選択する。ユーザによって何れかのチェックボックスが選択され、ＯＫボタン９４が選択されると、地紋画像補正手段１１５は選択されたチェックボックスに対応する画像補正の処理をイメージ画像に対して行い（ステップＳ２１）、補正処理後、制御部１１はステップＳ１２へ処理を移行する。
【００５８】
ここで「塗りつぶし」とは、イメージ画像を構成する画素において、中間調の画素が二値化処理によって黒画素として認識されるよう、中間調の画素を黒画素とする又は黒画素に近い値に変更する処理を言う。この処理によりグレーの画素が黒画素となり、潜像画像としてのイメージ画像が複写後に鮮明に表現される。また「輪郭補正」とは、スムージング処理等を用いた輪郭補正処理を言う。例えばイメージ画像の拡大に伴ってジャギーが顕著に現れるケースが多い。そこでこの「輪郭補正」を行うことにより、イメージ画像のジャギーが低減され、ユーザの想像通りにイメージ画像を顕在化させることができる。尚、画像補正の処理内容は上述の内容に限らない。
【００５９】
また、背景画像の濃度調整や、潜像画像としてテキスト文字を選択した場合にそのテキスト文字のコントラストを調整したい際は、パターン補正ボタン４８を選択することにより実現可能であるが、周知技術であるため説明は省略する。
【００６０】
地紋画像設定画面４００において、ＯＫボタン５１が選択された場合（ステップＳ１４；ＯＫボタン）、制御部１１はイメージ画像のサイズ変更がなされたか否かを判別する（ステップＳ２２）。サイズ変更がなされた場合（ステップＳ２２；ＹＥＳ）、制御部１１はサイズ変更後のイメージ画像をイメージ画像記憶部１５５に記憶する（ステップＳ２３）。そして処理を終了する。サイズ変更後のイメージ画像をイメージ画像記憶部１５５に記憶させることによって、後日地紋画像を生成させるときにサイズ変更後のイメージ画像を用いることができ、地紋画像の生成をスムーズに行うことができる。
【００６１】
以上、説明したように、潜像画像として会社のロゴマーク等の任意のイメージ画像を用いた地紋画像を生成させ、イメージ画像が小さすぎる等、ユーザの意図したとおりにイメージ画像が表現されていない場合は、ボタン操作によるイメージ画像のサイズ変更を可能とすることにより、ユーザは想像通りの地紋画像の生成を簡単に行うことができる。従って、意図した地紋画像を生成させるために、別途画像作成ソフト等を起動させてイメージ画像を作り直す又はサイズ変更の処理を行うなどの余計な作業を行わなくてすみ、地紋画像を用いた印刷作業をスムーズに行うことができる。
【００６２】
更に集約印刷が設定されている場合においても、同様にイメージ画像のサイズ変更を可能とし、更に各原稿画像に対して少なくとも１つのイメージ画像が配置されるよう地紋画像が生成されることにより、集約印刷された印刷物を原稿毎に切り離して使用する場合でも、複写時にイメージ画像を効果的に顕在化させることができる。
【００６３】
尚、本発明は上記実施の形態の構成に限られず種々の変形が可能である。例えば、プルダウンリスト８２及び８５において項目「用紙に合わせる」が選択された場合、用紙の印刷可能範囲の所定方向の幅に合わせてイメージ画像が拡縮され、そのイメージ画像が用紙中央に１つ配置されるように地紋画像が生成されることとして図示しているが、例えば配置するイメージ画像の数を任意に設定可能なようにしてもよい。具体的には、ユーザによってイメージ画像の数が「２」と指示された場合、制御部１１は用紙の印刷可能範囲内にイメージ画像が２個配置（例えば、上下又は左右にイメージ画像を２個並べて配置）されるようにイメージ画像の拡縮を行って地紋画像の生成を行う。
【図面の簡単な説明】
【００６４】
【図１】画像処理装置の構成を示したブロック図。
【図２】背景画像記憶部のデータ構成を示した図。
【図３】イメージ画像記憶部のデータ構成を示した図。
【図４】地紋画像を説明するための図。
【図５】地紋画像を説明するための図。
【図６】地紋画像設定画面の一例を示した図。
【図７】ファイル参照画面の一例を示した図。
【図８】地紋画像設定画面の一例を示した図。
【図９】イメージ詳細設定画面の一例を示した図。
【図１０】イメージ詳細設定画面の一例を示した図。
【図１１】イメージ詳細設定画面の一例を示した図。
【図１２】集約印刷が設定されている際のイメージ画像の配置方法を説明するための図。
【図１３】補正内容設定画面の一例を示した図。
【図１４】地紋画像生成処理の流れを示したフローチャート。
【図１５】サイズ変更処理の流れを示したフローチャート。
【図１６】配置方法設定処理の流れを示したフローチャート。
【図１７】従来の地紋画像を説明するための図。
【図１８】従来の地紋画像を説明するための図。
【符号の説明】
【００６５】
１      画像処理装置
１１    制御部
１１１  画像読出部
１１２  サイズ変更部
１１３  地紋生成部
１１４  集約部
１１５  地紋画像補正部
１２    入力部
１３    表示部
１４    ＲＯＭ
１５    ＨＤＤ
１５１  地紋画像生成プログラム
１５２  サイズ変更プログラム
１５３  配置方法設定プログラム
１５４  背景画像記憶部
１５５  イメージ画像記憶部
１６    ＲＡＭ
１７    通信部
【図１】
0004903672.tif 000002
【図２】
0004903672.tif 000003
【図３】
0004903672.tif 000004
【図１４】
0004903672.tif 000005
【図１５】
0004903672.tif 000006
【図１６】
0004903672.tif 000007
【図１８】
0004903672.tif 000008
【図４】
0004903672.tif 000009
【図５】
0004903672.tif 000010
【図６】
0004903672.tif 000011
【図７】
0004903672.tif 000012
【図８】
0004903672.tif 000013
【図９】
0004903672.tif 000014
【図１０】
0004903672.tif 000015
【図１１】
0004903672.tif 000016
【図１２】
0004903672.tif 000017
【図１３】
0004903672.tif 000018
【図１７】
0004903672.tif 000019